(57)【要約】【課題】遊技盤上でよりダイナミックな動きを表現して、遊技者に新鮮なインパクトを与え、娯楽性を向上させることができるパチンコ遊技機の可動体駆動機構と可動体装置を提供する。【解決手段】ジャンパー人形４２を飛び出すように駆動する飛び出し用の電磁ソレノイド６４が遊技盤３の背面側で可動体の一方の側にプランジャーを下に向けて配設され、ジャンパー人形４２の飛び出し位置を制限する飛び出し位置制限用の電磁ソレノイド６３が遊技盤の背面側で該可動体の他方の側にプランジャーを下に向けて配設される。各プランジャーの先端に長孔を有する作動片６５，６６が設けられる。１対の作動アーム６７，６８が、その中間部を支軸を介して枢支され、先端部に設けた係合凹部７３，７４が人形の内側に突設されたピンに係合し、末端部に突設したピンが作動片６５，６６の長孔に係合する。【選択図】図３
2006015166.tif 000002
【特許請求の範囲】
【請求項１】
特別図柄変動表示装置に表示される画像に連動して、該特別図柄変動表示装置の近傍に配設した人形・模型状の可動体を動かすパチンコ遊技機の可動体駆動機構であって、
該遊技盤の背面側で該可動体の一方の側にプランジャーを下に向けて配設され、該可動体を飛び出すように駆動する飛び出し用の電磁ソレノイドと、
該遊技盤の背面側で該可動体の他方の側にプランジャーを下に向けて配設され、該可動体の飛び出し位置を制限する飛び出し位置制限用の電磁ソレノイドと、
該各プランジャーの先端に設けられ、長孔を有する作動片と、
中間部が支軸を介して枢支されると共に、先端部に設けた係合凹部が可動体の内側に突設されたピンに係合し、末端部に突設したピンが作動片の長孔に係合する１対の作動アームと、を備え、
前記飛び出し用の電磁ソレノイドの押し出し作動により該作動片と該作動アームを介して可動体が上方に飛び出すように駆動され、前記飛び出し位置制限用の電磁ソレノイドの作動により可動体の飛び出し位置が制限されることを特徴とするパチンコ遊技機の可動体駆動機構。
【請求項２】
前記飛び出し用の電磁ソレノイドに連係される作動アームの係合凹部はコ字状に形成され、前記飛び出し位置制限用の電磁ソレノイドに連係される作動アームの係合凹部は逆Ｌ字状に形成されたことを特徴する請求項１記載のパチンコ遊技機の可動体駆動機構。
【請求項３】
遊技盤の中央に形成された開口部内に枠体が固定され、該枠体の裏面に取付板が固定され、該取付板に揺動保持枠が揺動可能に支持され、該揺動保持枠の内側に特別図柄変動表示装置が取り付けられ、該特別図柄変動表示装置の上方の取付板に該特別図柄変動表示装置に表示される画像を具現化した人形・模型状の可動体が上下動可能に取り付けられ、可動体を飛び出すように駆動する電磁ソレノイドが取付板の一方の側にプランジャーを下に向けて取り付けられ、可動体の飛び出し位置を制限する電磁ソレノイドが取付板の他方の側にプランジャーを下に向けて取り付けられ、各々のプランジャーの先端に長孔を有した作動片が取り付けられ、該可動体の背面側の両側に１対の作動アームが略水平方向に配設され、各々作動アームの端部に突設したピンが該作動片の長孔に係合され、該作動アームは各々その中間部を支軸で上下に揺動可能に支持され、両作動アームの各先端部には係合凹部が形成され、両側の係合凹部が可動体の背面側に設けたピンに係合することを特徴とするパチンコ遊技機の可動体装置。
【請求項４】
前記取付板の上部中央にガイド孔が縦に形成され、前記可動体の背面部がガイド孔に摺動可能に嵌合されて該取付板の裏面側に突出し、該背面部の背面に摺動板が固定され、該摺動板の背面にピンが突設され、該ピンに上記作動アームの係合凹部が係合し、該可動体を上方に付勢するコイルばねが該摺動板に掛止されたことを特徴とする請求項３記載のパチンコ遊技機の可動体装置。
【請求項５】
前記飛び出し用の電磁ソレノイドに連係される作動アームの係合凹部はコ字状に形成され、前記飛び出し位置制限用の電磁ソレノイドに連係される作動アームの係合凹部は逆Ｌ字状に形成され、飛び出し位置制限用の電磁ソレノイドがプランジャーを引き戻した時、作動アームの先端の係合凹部が中間位置に下がり、可動体の飛び出しを中間位置に制限することを特徴とする請求項３または４記載のパチンコ遊技機の可動体装置。
【発明の詳細な説明】
【技術分野】
【０００１】
本発明は、特別図柄変動表示装置と特別入賞時等に人形等の可動体が動く機構を備えたパチンコ遊技機の可動体駆動機構とその可動体駆動機構を用いた可動体装置に関する。
【背景技術】
【０００２】
従来、特定の始動入賞口に球が入ると、特別図柄変動表示装置の３列の図柄が上から下に流れるように変動表示され、その後、それらの図柄が停止して、例えば「７７６」のように、図柄が２つ揃うと、所謂リーチ状態となり、さらに、始動入賞口に球が入り、再び３列の図柄が流れて、その後、それらの図柄が停止して、例えば「７７７」のように、３列の図柄が揃ったとき、特別遊技状態つまり大当たりとなって、可変入賞装置の電動開閉大入賞口が開閉動作して、多くの遊技球を入賞させることができるパチンコ遊技機が、知られている。
【０００３】
一方、従来、パチンコ遊技機では、キャラクター人形や動物のような可動体を表示装置の付近に可動的に配設し、特定の始動入賞口に球が入った際、或はリーチ状態等になったとき、可動体を動かして、遊技者を楽しませる構造のパチンコ遊技機が知られている。例えば、下記特許文献１には、大入賞口の内側にキャラクターユニットを前後及び上下に揺動可能に配設し、揺動モータの駆動によって、キャラクターユニットを前後及び上下に移動させる可動体装置が記載されている。
【特許文献１】特開平４−１８７１６８号公報
【発明の開示】
【発明が解決しようとする課題】
【０００４】
しかし、前者の図柄変動表示装置は、ディスプレイ上に図柄を変動表示するのみであるため、表示する図柄を複雑にし、図柄に各種の趣向を凝らしたとしても、遊技者に与える面白さやインパクトには限界があり、また、後者の可動体も、自動車などのキャラクターが動くだけであるから、遊技者に与える面白さやインパクトには限界があった。
【０００５】
本発明は、上記の点に鑑みてなされたもので、遊技盤上でよりダイナミックな動きを表現して、遊技者に新鮮なインパクトを与え、娯楽性を向上させることができるパチンコ遊技機の可動体駆動機構と可動体装置を提供することを目的とする。
【課題を解決するための手段】
【０００６】
上記目的を達成するために、本発明の請求項１のパチンコ遊技機の可動体駆動機構は、特別図柄変動表示装置の表示画像の動きに連動して、該特別図柄変動表示装置に近傍に配設された人形・模型状の可動体を動かすパチンコ遊技機の可動体駆動機構であって、該遊技盤の背面側で該可動体の一方の側にプランジャーを下に向けて配設され、該可動体を飛び出すように駆動する飛び出し用の電磁ソレノイドと、該遊技盤の背面側で該可動体の他方の側にプランジャーを下に向けて配設され、該可動体の飛び出し位置を制限する飛び出し位置制限用の電磁ソレノイドと、該各プランジャーの先端に設けられ、長孔を有する作動片と、中間部が支軸を介して枢支されると共に、先端部に設けた係合凹部が可動体の内側に突設されたピンに係合し、末端部に突設したピンが作動片の長孔に係合する１対の作動アームと、を備え、前記飛び出し用の電磁ソレノイドの押し出し作動により該作動片と該作動アームを介して可動体が上方に飛び出すように駆動され、前記飛び出し位置制限用の電磁ソレノイドの作動により可動体の飛び出し位置が制限されることを特徴とする。
【０００７】
ここで、上記可動体駆動機構においては、可動体の飛び出し用の電磁ソレノイドに連係される作動アームの係合凹部はコ字状に形成され、可動体の飛び出し位置制限用の電磁ソレノイドに連係される作動アームの係合凹部は逆Ｌ字状に形成することができる。
【０００８】
また、請求項３のパチンコ遊技機の可動体装置は、遊技盤の中央に形成された開口部内に枠体が固定され、該枠体の裏面に取付板が固定され、該取付板に揺動保持枠が揺動可能に支持され、該揺動保持枠の内側に特別図柄変動表示装置が取り付けられ、該特別図柄変動表示装置の上方の取付板に該特別図柄変動表示装置に表示される画像を具現化した人形・模型状の可動体が上下動可能に取り付けられ、可動体を飛び出すように駆動する電磁ソレノイドが取付板の一方の側にプランジャーを下に向けて取り付けられ、可動体の飛び出し位置を制限する電磁ソレノイドが取付板の他方の側にプランジャーを下に向けて取り付けられ、各々のプランジャーの先端に長孔を有した作動片が取り付けられ、該可動体の背面側の両側に１対の作動アームが略水平方向に配設され、各々作動アームの端部に突設したピンが該作動片の長孔に係合され、該作動アームは各々その中間部を支軸で上下に揺動可能に支持され、両作動アームの各先端部には係合凹部が形成され、両側の係合凹部が可動体の背面側に設けたピンに係合することを特徴とする。
【０００９】
ここで、上記可動体装置においては、取付板の上部中央にガイド孔が縦に形成され、可動体の背面部がガイド孔に摺動可能に嵌合されて該取付板の裏面側に突出し、該背面部の背面に摺動板が固定され、該摺動板の背面にピンが突設され、該ピンに上記作動アームの係合凹部が係合し、該可動体を上方に付勢するコイルばねが該摺動板に掛止される構成とすることができる。
【００１０】
また、上記可動体装置においては、可動体の飛び出し用の電磁ソレノイドに連係される作動アームの係合凹部はコ字状に形成され、可動体の飛び出し位置制限用の電磁ソレノイドに連係される作動アームの係合凹部は逆Ｌ字状に形成され、飛び出し位置制限用の電磁ソレノイドはプランジャーを引き戻した時、作動アームの先端の係合凹部が中間位置に下がり、可動体の飛び出しを中間位置に制限するように構成することができる。
【発明の効果】
【００１１】
請求項１の可動体駆動機構は、特別図柄変動表示装置の図柄が揃って停止し、例えばリーチ或は大当り状態になって所定のキャラクター等の画像が表示装置に表示されたとき、可動体の飛び出し用の電磁ソレノイドがプランジャーを押し作動すると、作動片、作動アームを介して可動体が、表示装置の近傍で、表示画像の動きに連動して飛び出すように動く。このため、遊技盤上では、よりダイナミックな動きが表現され、遊技者には、新鮮なインパクトを与えることができる。また、飛び出し位置制限用の電磁ソレノイドがプランジャーを引き戻し作動すると、可動体の飛び出し位置が制限され、プランジャーを押し出し作動すると、可動体の飛び出し位置が最上位置まで上昇するように動作し、表示装置の停止図柄に応じて可動体の飛び出し位置に変化を付けて、遊技者の期待感を大きくすることができる。また、上記の構成により、可動体の飛び出し動作及び飛び出し位置制限動作を円滑に行うことができる。
【発明を実施するための最良の形態】
【００１２】
以下、本発明の実施の形態を図面に基づいて説明する。図１はパチンコ遊技機の正面図を示している。図において、１はパチンコ機の木枠で、木枠１の前には前面枠２が蝶番を介して開閉可能に装着され、前面枠２の前面にはガラス扉５を開閉可能に設けた金枠が取り付けられ、前面枠２の内側に遊技盤３が着脱可能に取り付けられる。また、遊技盤３の背面側に合成樹脂製の機構板がヒンジを介して回動可能に装着される。
【００１３】
ガラス扉５の下側に、前板７が図示しない発射レールや打球杆を覆うように開閉可能に装着され、前板７の前面には打球供給皿６が設けられる。更に、前面枠２の下部に、打球発射装置の一部を構成する打球発射ハンドル１３が設けられると共に、打球供給皿６で貯留できなくなった賞球を貯留する下皿８が設けられる。
【００１４】
遊技盤３の前面には、中央に、例えば３列の図柄を順に上下に移動（回動）させながら表示する特別図柄変動表示装置１０が可動体装置４０と共に配設される。特別図柄変動表示装置１０は、カラー液晶表示器等のディスプレイ上に例えば３列の数字や絵を上から下に流して表示すると共に、例えばスキーのジャンプ台を表示し、予め決められた２つの図柄が揃ってリーチ状態になると、ジャンパーがジャンプ台を滑り始めるように表示が行なわれる。さらに、予め決められた３つの図柄が揃うと、特別遊技状態つまり大当たりとなって、可動体装置４０が作動し、後述の可変入賞装置１１がその開閉部材１１ａを開動作させる。
【００１５】
特別図柄変動表示装置１０の下側に始動入賞口９が配設され、その両側に通常入賞口１２が配設され、始動入賞口９の下側に、可変入賞装置１１が設けられる。始動入賞口９の内側には入賞した球を電気的に検出する始動入賞検出器１５が配設される。可変入賞装置１１には大入賞口として開閉動作する開閉部材１１ａが、電磁ソレノイド等により開閉可能に設けられる。
【００１６】
可動体装置４０は、図２〜図４に示すように、揺動可能に配設された揺動保持枠４１の内側に特別図柄変動表示装置１０を取り付け、揺動保持枠４１の内側から上方に、可動体であるジャンパー人形４２が、飛び出し可能に設けられる。可動体装置４０の略楕円形の枠体４３は、遊技盤３の中央部に設けた同形の開口部内に組み付けられ、枠体４３の裏面側には取付板４４が固定される。取付板４４の中央下寄りに、略矩形の開口部４５が形成され、その開口部４５内には、揺動保持枠４１における特別図柄変動表示装置１０を装着した部分が、周囲に隙間を持って揺動可能に挿入される。
【００１７】
揺動保持枠４１は、その下部中央に設けた支軸４６を軸に左右に揺動可能に支持され、左右にはコイルばね４７が取付板４４との間に連結される。特別図柄変動表示装置１０を保持する揺動保持枠４１は、両側に設けた電磁ソレノイド４８、４９の作動により震えるように揺動する。電磁ソレノイド４８、４９は、取付板４４の両側に下向きに取り付けられ、各々のプランジャーの先端に作動片５０が取り付けられる。
【００１８】
作動片５０上には長孔が形成され、その長孔に作動アーム５１の中間部に突設したピン５２が係合される。作動片５０の先端部は細く形成され、その先端部が取付板４４上に突設されたガイドピンの間に入りガイドされる。両側の作動アーム５１は、その末端部を支軸５３により取付板４４上に枢支され、作動アーム５１の先端部に設けた係合凹部５４が揺動保持枠４１の両側に突設したピン５５と係合する。
【００１９】
このような電磁ソレノイド４８、４９、作動片５０、作動アーム５１等から表示部揺動機構が構成され、表示部揺動機構は、両側の電磁ソレノイド４８、４９が、交互にそのプランジャーを押し出し引き戻し作動すると、特別図柄変動表示装置１０を保持した揺動保持枠４１が支軸４６を軸にして左右に震えるように揺動運動する。
【００２０】
図２に示すように、揺動保持枠４１の前面には、特別図柄変動表示装置１０を囲うように装飾部４１ｂが設けられ、その上部には正面から見て円筒体のように見える円筒部４１ａが突設される。ジャンパー人形４２は上昇時、その円筒部４１ａから上に飛び出すように、揺動保持枠４１と取付板４４の間に上下移動可能に配設される。
【００２１】
図３、図４に示すごとく、取付板４４の上部中央には、ガイド孔４４ａが縦に形成され、ジャンパー人形４２の背面部がガイド孔４４ａに摺動可能に嵌合される。このジャンパー人形４２の背面部は取付板４４の裏面側に突出し、そこに摺動板４２ａが固定され、その摺動板４２ａの中央にピン６１が突設され、摺動板４２ａを上方に付勢するコイルばね６２がその上部に掛止される。
【００２２】
ジャンパー人形４２を動かすための電磁ソレノイド６４は、図３の右側の取付板４４上に下向きに取り付けられ、また、人形４２の移動範囲を制限するための電磁ソレノイド６３が、取付板の左側に下向きに取り付けられる。各々のプランジャーの先端に、上記と同様の作動片６５、６６が取り付けられる。作動片６５、６６上には長孔が形成され、その長孔に、各々作動アーム６７、６８の末端部に突設したピン６９、７０が係合される。作動片６５、６６の先端部は細く形成され、その先端部が取付板４４上に突設されたガイドピンの間に入りガイドされる。
【００２３】
略水平方向に配設された作動アーム６７、６８は、各々その中間部を支軸７１と７２で上下に揺動可能に支持され、作動アーム６７、６８の各先端部には係合凹部７３、７４が形成される。両側の係合凹部７３、７４は上記ジャンパー人形４２の摺動板４２ａ上のピン６１に係合し、人形４２を上下動させる作動アーム６８の係合凹部７４はコ字状であるが、移動範囲を制限するための作動アーム６７の係合凹部７３は逆Ｌ字状となっている。また、移動範囲を制限するための作動アーム６７は、取付板４４上に突設されたピン７５により、その回動範囲を制限される。
【００２４】
電磁ソレノイド６３、６４、作動片６５、６６、作動アーム６７、６８等から可動体駆動手段が構成され、可動体駆動手段は、電磁ソレノイド６４のプラジャーの引き戻し時、作動アーム６８の先端の係合凹部７４が下方に回動し、ジャンパー人形４２を下に移動させる。逆にプランジャーを押し出し作動した場合、作動アーム６８の先端の係合凹部７４が上方に回動し、ジャンパー人形４２を上に移動させ、円筒部４１ａより飛び出させる。電磁ソレノイド６３は、そのプランジャーを引き戻した時、作動アーム６７の先端の係合凹部７３が中間位置に下がり、ジャンパー人形４２の飛び出しを中間位置に制限し、一方、そのプランジャーを押し出した時には、係合凹部７３を最上位置まで上げ、ジャンパー人形４２を最上位置まで飛び出させる。
【００２５】
図５に示すように、パチンコ遊技機の主制御部２０は、ゲームのプログラムが記憶された読み出し専用のＲＯＭ２３、連続開閉回数（ラウンド数）等のデータを一時的に記憶する読み書き可能なＲＡＭ２２、及びプログラムデータに基づき、パチンコゲームを実行するＣＰＵ２１を備える。ＣＰＵ２１は、遊技中に、始動入賞口９に球が入賞すると、表示制御部３０に信号を出力して、特別図柄変動表示装置１０が表示する３列の数字や絵の図柄を、上から下に流して表示するように変動表示させ、予め決められた２つの図柄が揃ってリーチ状態になると、ジャンパーがジャンプ台を滑り始めるように表示する。さらに、ＣＰＵ２１は、リーチ状態の後、予め決められた３つの図柄が揃うと、特別遊技状態つまり大当たりとなって、可動体装置４０を動作させてジャンパー人形４２を円筒部４１ａから飛び出させ、可変入賞装置１１の開閉部材１１ａを開動作させる。
【００２６】
主制御部２０に接続された表示制御部３０は、予めＲＯＭ３３に記憶された表示用プログラムデータ、キャラクター用データに基づき、ＣＰＵ３１が表示処理を実行し、特別図柄変動表示装置１０にスキーのジャンプ台やジャンパーを表示すると共に、３列の図柄を上から下に流れるように変動表示する。また、パチンコ遊技機には、図示を省略してあるが、各入賞口に入賞した入賞球に応じて、所定の数の賞球を払い出すための賞球払出機構が内蔵される。
【００２７】
次に、パチンコ遊技機の動作を図６のフローチャートを参照して説明する。遊技中に、球が始動入賞口９に入賞すると、始動入賞検出器１５がこれを検出して、ステップ１００からステップ１１０に進み、主制御部２０は特別図柄変動表示装置１０の表示を制御して、３列の図柄を上から下に流れるように変動表示し、その後、それらの図柄を偶然性を持って停止させる。
【００２８】
このとき、変動表示が「７６７」のように予め決められた２列の図柄に揃った場合、主制御部２０は、ステップ１２０で、ゲームがリーチ状態となったと判断し、次のステップ１３０で、リーチ画像として、図７のように、スキーのジャンパーがジャンプ台を滑り下りる画像を表示し、さらに、ステップ１４０で、特別図柄変動表示装置１０を震えるように揺動させる。
【００２９】
この動作は、図３に示す左右の電磁ソレノイド４８、４９を、交互に押し出し引き戻し動作させ、作動片５０と作動アーム５１を介して、揺動保持枠４１と共に特別図柄変動表示装置１０を、中央下部の支軸４６を軸に左右に揺動させるようにして行なう。
【００３０】
次に、ステップ１５０で、再び、球が始動入賞口９に入賞したか否かを判定し、始動入賞口９に球が入ると、再び特別図柄変動表示装置１０の表示を制御して、３列の図柄を上から下に流れるように変動表示し、その後、それらの図柄を偶然性を持って停止させ、その時の図柄が、「７７７」のように、予め決められた状態に揃った場合、ステップ１６０で、特別遊技状態（大当たり）始動条件が成立したと判断し、ステップ１７０で、特別遊技状態を始動し、ランプの点滅や音響を発生させると共に、可変入賞装置１１を起動してその開閉部材１１ａを開動作させる。
【００３１】
次に、ステップ１８０で、特別図柄変動表示装置１０の表示を制御して、ジャンプ台を滑り下りつつあるジャンパーをジャンプ台から飛び出させるように表示すると共に、この表示装置の画像の動きに連動させて、可動体装置４０を動作させ、図７のように、ジャンパー人形４２を円筒部４１ａから上に飛び出させる。このジャンパー人形４２の飛び出しは、可動体装置４０の電磁ソレノイド６４のプランジャーを押し出し動作させ、作動片６６と作動アーム６８を介して、摺動板４２ａと共にジャンパー人形４２を上昇させて行なわれる。
【００３２】
このとき、人形４２の移動範囲を制限するための電磁ソレノイド６３が、そのプランジャーを引き戻し動作している場合、ジャンパー人形４２の上昇は、中間位置に制限され、一方、プランジャーを押し出し作動している場合、ジャンパー人形４２は、最上位置まで上昇し、円筒部４１ａから図７のように飛び出す。この人形４２が飛び出す位置は、大当たり時の状態に応じて変えることができ、例えば、ラウンド数１０回の大当たりの場合は、人形４２を中間位置に飛び出させ、ラウンド数１５回の大当たりの場合は、人形４２を最上位置まで飛び出させるように、大当たりの条件に応じて飛び出し位置を変えることができる。
【００３３】
次に、ステップ１９０で、可変入賞装置１１を動作させ、その開閉部材１１ａを開放させる。この開閉部材１１ａの開動作は、所定の時間継続され、それが予め決められたラウンド数（設定数）だけ繰り返されると、ステップ２００からステップ２１０に進み、特別遊技状態を終了する。
【００３４】
このように、特別図柄変動表示装置１０の図柄の２列が揃ってリーチ状態に入った場合、表示装置の画面上でジャンプ台をジャンパーが滑り始め、３列の図柄が揃って特別遊技状態（大当たり）になった場合には、画面のジャンパーがジャンプ台から飛び出すように表示されると共に、その画像の動きに連動して、実物のジャンパー人形４２が表示装置１０の上部の装飾部４１ｂ上に設けた円筒部４１ａから飛び出すように動くから、遊技者に新鮮なインパクトを与え、パチンコ遊技機の娯楽性を向上させることができる。
【００３５】
なお、表示装置４０の画面にジャンパーが飛んだ距離を、乱数発生器に基づく数値で表示し、その距離に応じて大当たりの程度を変えるようにしてもよい。
【００３６】
上記実施例では、特別遊技状態になったときとしているが、例えば、リーチ中に上記スキーのジャンプを行なわせ、その飛距離に応じて大当たりになるか否かの期待値を変化させることもできる。このとき、人形が飛び出した方が飛距離があるように設定すれば、期待感がより大きいリーチとなる。
【００３７】
また、上記実施例では、スキーのジャンパーを表示し、可動体としてジャンパー人形を飛び出させたが、そのほかのキャラクター画像を表示し、そのキャラクターの人形を飛び出させることもでき、また、動物や鳥、飛行機等を表示し、その模型を飛び出させることもできる。さらに、走行する自動車を画像表示し、その自動車の模型を表示画像に連動して走り出すようにするなど、各種の態様で可動体を構成し動かすことができる。
【００３８】
以上説明したように、本発明のパチンコ遊技機によれば、特別図柄変動表示装置の表示画像の動きに連動して、その表示装置近傍に配置した人形・模型状の可動体を動かすから、遊技盤上で遊技中によりダイナミックな動きを表現して、遊技者に新鮮なインパクトを与え、娯楽性を向上させることができる。
【図面の簡単な説明】
【００３９】
【図１】本発明の一実施形態を示すパチンコ遊技機の正面図である。
【図２】特別図柄変動表示装置１０とその周辺の拡大正面図である。
【図３】特別図柄変動表示装置１０と可動体装置４０周辺の背面図である。
【図４】図３の中央縦断面図である。
【図５】パチンコ遊技機の制御系のブロック図である。
【図６】パチンコ遊技機の動作を示すフローチャートである。
【図７】表示装置の画面とそれに連動して動く可動体を示す正面図である。
【符号の説明】
【００４０】
９−始動入賞口
１０−特別図柄変動表示装置
２０−主制御部
３０−表示制御部
４０−可動体装置
４２−ジャンパー人形
６３，６４−電磁ソレノイド
６５，６６−作動片
６７，６８−作動アーム
【図１】
2006015166.tif 000003
【図２】
2006015166.tif 000004
【図３】
2006015166.tif 000005
【図４】
2006015166.tif 000006
【図５】
2006015166.tif 000007
【図６】
2006015166.tif 000008
【図７】
2006015166.tif 000009